(57)【要約】【課題】  この発明の目的は、交通の安全性を確保するために、簡単に交換できる道路鋲補修用カバーを提供する。【解決手段】  車のライトに反射する反射体４が設けられたカバー本体１を備え、このカバー本体１は既設の道路鋲Ｂを覆う大きさを備えている。上記カバー本体１の反射体４は、既設の道路鋲Ｂの反射体７に重ね合わせ可能に設けられている。そして、上記カバー本体１は、既設の道路鋲Ｂの全表面を覆うとともに、既設の道路鋲Ｂとほぼ相似形にしている。【選択図】  図１
2018071072.tif 000002
【特許請求の範囲】
【請求項１】
車のライトに反射する反射体が設けられたカバー本体を備え、
このカバー本体は既設の道路鋲を覆う大きさにした道路鋲補修用カバー。
【請求項２】
既設の道路鋲が上記カバー本体で覆われた状態で、上記カバー本体の反射体が、既設の道路鋲の反射体と重ね合わせられる形態が保持された請求項１に記載の道路鋲補修用カバー。
【請求項３】
上記カバー本体は、既設の道路鋲とほぼ相似形にして、既設の道路鋲の全表面を覆う形態にされた請求項１又は２に記載の道路鋲補修用カバー。
【請求項４】
上記カバー本体が、既設の道路鋲に非収縮接着剤で接着された請求項１〜３のいずれか１に記載の道路鋲補修用カバー。
【発明の詳細な説明】
【技術分野】
【０００１】
この発明は、道路鋲の補修用カバーに関する。
【背景技術】
【０００２】
一般に道路鋲は、交通安全対策用品として、カーブ地点、見通しの悪い場所、濃霧多発地帯、変形交差点、交差道路、一時停止箇所、合分流の安全帯、橋梁、トンネル内、歩車道の境界などの事故多発地帯に設置される。
そして、車道に設置される道路鋲は、それを乗り越えるときの振動でドライバーに危険を伝えたり、ヘッドライトの光を反射する反射体で道路線形を明示して視認誘導効果を発揮させたりする。
【０００３】
したがって、道路鋲には車両などからの衝撃で簡単に取り除かれないような強い設置力が求められる。
また、道路鋲はそれが破損したり、反射体の反射能力が落ちたりしたときには、交通安全の見地から、既設の道路鋲を新しい道路鋲と交換しなければならない。このような観点からすると、道路鋲の交換時には、それが簡単に取り除かれるようにしなければならない。なぜなら、道路鋲の交換工事に手間がかかれば、交通渋滞の原因になるだけでなく、工事作業員に危険を及ぼしたり、交通事故の原因になったりするからである。
【０００４】
このように道路鋲は、道路にしっかりと設置されて簡単に取り除かれないということが求められる一方で、交換時にはそれが簡単に外れなければならないという二律背反的な要求を満たさなければならない。
【０００５】
次に、従来から知られている道路鋲について説明する。
従来から、特許文献１に記載された道路鋲が知られている。
この従来の道路鋲は、半硬質合成樹脂材料及び／又は軟質合成樹脂材料を配合し、衝撃に対する柔軟性を保って、長期間、当該道路鋲を交換しなくてもよいようにしている。
また、この鋲本体の裏側に形成された空洞に可撓性の接着剤を充填し、この接着剤で鋲本体を道路に接着するようにしている。
【先行技術文献】
【特許文献】
【０００６】
【特許文献１】特開２００５−０９７９７０号公報
【発明の概要】
【発明が解決しようとする課題】
【０００７】
特許文献１に記載された道路鋲は、鋲本体の強度を上げて、長期間、交換しなくてもよいようにしている。しかし、どんなに強度を上げても、長期間、雨ざらしにされたり、頻繁に車両などからの衝撃を受けたりすれば、当該道路鋲は必ず損傷したり劣化したりする。
また、鋲本体の損傷や劣化が多少防げたとしても、例えば、反射体の表面に傷がついたりすれば、ヘッドライトの光を反射する能力が落ちてしまい、ドライバーに対する視認誘導効果が損なわれてしまう。したがって、道路鋲は、所定の期間が過ぎれば、必ず交換しなければならない。
【０００８】
しかし、従来から知られている既設の道路鋲は、上記のように、それが簡単に取り除かれないようにするために、路面や縁石等に強力に接着されている。そのために、既設の道路鋲を剥ぎ取ろうとすれば、タガネを打ち込んだりしなければならなかった。
特に、道路鋲は単体で機能させることはほとんどなく、多数のものを所定の間隔を置いて設置することがほとんどなので、タガネで一つひとつ剥ぎ取るには、多くの時間を必要とする。そのために、剥ぎ取るべき道路鋲の数が多くなれば、電動タガネ等のような機械で路面や縁石等を削り取って、それらを一気に取り除くこともあった。
【０００９】
工事が大掛かりになれば、交通渋滞の原因になるだけでなく、工事作業員に危険を及ぼしたり、交通事故の原因になったりする。また、既設の道路鋲が、歩車道を区切る縁石に設置されているときには、歩行者にも危険を及ぼす可能性があった。
さらに、道路鋲を剥ぎ取る過程で路面や縁石等を損傷すれば、その損傷部分を修復した後に、道路鋲の設置作業をしなければならない。
特に、電動タガネ等のような機械で路面や縁石等を削り取った場合には、その修復作業が大掛かりになるという問題が発生する。
【００１０】
いずれにしても、従来の道路鋲では、道路にしっかりと設置されて簡単に取り除かれてはならないということと、交換時にはそれが簡単に取り除かれなければならないという二律背反的な要求を満たすことができなかった。
この発明の目的は、劣化した既設の道路鋲を取り除くことなく、道路鋲としての機能を新たにできる道路鋲補修用カバーを提供することである。
【課題を解決するための手段】
【００１１】
第１の発明は、車のライトに反射する反射体が設けられたカバー本体を備え、このカバー本体は既設の道路鋲を覆う大きさにした点に特徴を有する。
なお、既設の道路鋲を覆う大きさとは、表面全部を覆うものに限られない。例えば、反射体さえ新規なものにできれば、既設の道路鋲の表面の一部を覆うものであってもかまわない。
【００１２】
第２の発明は、上記カバー本体の反射体は、カバー本体を既設の道路鋲に重ね合わせた状態で既設の道路鋲の反射体と重ね合わせられる形態が保持された上記カバー本体の反射体が、既設の道路鋲の反射体に重ね合わせ可能に位置決めされた点に特徴を有する。
【００１３】
第３の発明は、上記カバー本体が、既設の道路鋲の全表面を覆うとともに、既設の道路鋲とほぼ相似形である点に特徴を有する。
【００１４】
第４の発明は、上記カバー本体が、既設の道路鋲に非収縮接着剤で接着された点に特徴を有する。
【発明の効果】
【００１５】
第１の発明によれば、既設の道路鋲を、反射体を設けた道路鋲補修用カバーで覆うようにしたので、既設の道路鋲を実質的に新たな道路鋲に更新できる。したがって、既設の道路鋲を剥ぎ取る必要がないので、道路鋲を実質的に更新するための工事も簡単になり、従来のように、工事が大掛かりになるといった問題は発生しない。
また、既設の道路鋲は路面や縁石等から簡単に取り除くことができないように接着されていたとしても、その更新時には本件発明のカバーを覆うだけで足りるので、全体としては、取り除かれにくく、更新しやすいという二律背反的な課題を同時に解決することができる。
【００１６】
また、工事が大掛かりにならないので、従来のように、交通渋滞を引き起こしたり、工事作業員に危険を及ぼしたり、交通事故の原因になったりしない。また、既設の道路鋲が、歩車道を区切る縁石に設置されている場合であっても、歩行者に危険を及ぼすことがない。
さらに、路面や縁石等を削り取ったりすることもないので、その修復に時間や費用がかかるようなことがない。
【００１７】
第２の発明によれば、既設の道路鋲がカバー本体で覆われた状態で、上記カバー本体の反射体が、既設の道路鋲の反射体と重ね合わせられる形態を保持しているので、カバー本体を既設の道路鋲に被せるだけで、反射体の位置を必然的に決めることができる。したがって、カバー本体の反射体の位置決めに間違いなどが発生しない。
【００１８】
第３の発明によれば、上記カバー本体は、既設の道路鋲の全表面を覆うとともに、既設の道路鋲とほぼ相似形にしているので、新たな道路鋲に交換したことと同じ効果が得られる。
【００１９】
第４の発明によれば、上記カバー本体が、既設の道路鋲に非収縮接着剤で接着されている。そして、この非収縮接着剤は、施工時と乾燥した後の接着時との体積の差が少ないので、施工のミスが少なく、取り扱いが楽なので、誰もが簡単に補修できる。
【図面の簡単な説明】
【００２０】
【図１】この第１実施形態の斜視図である。
【図２】この第１実施形態の使用状態を示す図１のＡ−Ａ断面図である。
【図３】この第２実施形態の斜視図である。
【発明を実施するための形態】
【００２１】
図１及び図２に、この発明の道路鋲補修用カバーの第１実施形態を示す。
この第１実施形態は、既設の道路鋲Ｂが破損したり、反射体７の反射能力が落ちたりした場合に、既設の道路鋲Ｂを取り除くことなく、道路鋲Ｂとしての機能を新たにするものである。
【００２２】
図１に示した第１実施形態は、カバー本体１が四角錐台形からなり、四角形の天板２と、その４辺にそれぞれ連続する台形の側板とで構成される。この第１実施形態の外観は、既設の道路鋲Ｂとほぼ相似形にしている。そして、このカバー本体１は、天板２の反対側を開口させ、上記カバー本体１の内部を空洞にしている。この内部の空洞は、既設の道路鋲Ｂがすっぽりと入る大きさにしている。
【００２３】
そして、上記カバー本体１の側板であって、一対の対向する傾斜面３，３には、車のライトに反射する反射体４，４が設けられている。この反射体４には、プリズム反射加工などがされた反射面が形成されている。この反射体４，４の傾斜角度は、後述する既設の道路鋲Ｂにおける反射体７，７の傾斜角度とほぼ同じ角度で設けられている。
【００２４】
なお、この第１実施形態では、上記カバー本体１が四角錐台形になっているが、その形状は限定されない。既設の道路鋲Ｂは、例えば、円錐台形やドーム形等、さまざまな形状のものが存在する。このカバー本体１は、既設の道路鋲Ｂを覆うことができ、かつ、既設の道路鋲Ｂと同じ機能を発揮できればよいので、既設の道路鋲Ｂとほぼ相似形の外形を備えていればよい。
【００２５】
次に、この第１実施形態の使用方法について説明する。
まず、図２で示した既設の道路鋲Ｂは、鋲本体６が四角錐台形からなり、その側面であって対向する一対の傾斜面にはそれぞれ反射体７，７が設けられている。このようにした既設の道路鋲Ｂは、上記カバー本体１とほぼ相似形で、カバー本体１を既設の道路鋲Ｂに被せたとき、カバー本体１と上記道路鋲Ｂとの間に、接着剤５を介在させる隙間が保持される。
この道路鋲Ｂは、反射体７が車のライトで反射するように上記ライトの照射方向に向けて路面や縁石等に強固に接着されている。
【００２６】
そして、道路鋲Ｂの表面あるいはカバー本体１の内側の少なくとも一方に塗布した接着剤５を介して、カバー本体１は既設の道路鋲Ｂに強固に接着される。このとき、上記カバー本体１の反射体４，４と既設の道路鋲Ｂの反射体７，７とを重ね合わせるようにして、反射体４，４の位置合わせをする。
【００２７】
したがって、上記カバー本体１の反射体４が、道路鋲Ｂの反射体４と同じ方向で、しかもほぼ同じ傾斜角で位置決めされるので、上記反射体４の反射方向をあらためて車のライトの照射方向に合わせる必要がない。
なお、非収縮接着剤は、施工時と乾燥した後の接着時との体積の差が少ないので、施工のミスが少ない。このように施工上の取り扱いが楽なので、誰もが簡単に補修できる。
【００２８】
この第１実施形態によれば、既設の道路鋲Ｂをカバー本体１で覆うようにしたので、既設の道路鋲Ｂを取り除かなくても、新たに新規な道路鋲を取り付けたのと同じような効果を発揮させることができる。このように既設の道路鋲Ｂをカバー本体１で覆うだけで既設の道路鋲Ｂを剥ぎ取る必要がないので、工事が大掛かりにならない。その一方で、容易に道路鋲Ｂとしての機能を新たにできる。
この第１実施形態によれば、道路鋲Ｂが路面や縁石等から外れないように固定される一方で、交換時には容易に交換できるという二律背反的な要求を同時に満たすことができるようになったものである。
【００２９】
また、工事が大掛かりにならないので、交通渋滞の原因が解消されるだけでなく、工事作業員に危険を及ぼしたり、交通事故の原因になったりすることがない。また、既設の道路鋲Ｂが、歩車道を区切る縁石に設置されている場合であっても、歩行者に危険を及ぼすことがない。
さらに、路面や縁石等を削り取ったりすることもないので、その修復に時間や費用がかかるようなことがない。
【００３０】
さらに、上記カバー本体１は、既設の道路鋲Ｂの全表面を覆うとともに、既設の道路鋲Ｂとほぼ相似形にしているので、新たな道路鋲Ｂに交換したことと同じ効果が得られる。
【００３１】
次に第２実施形態について説明する。
図３に示す第２実施形態は、カバー本体８が四角形の天板９と、その対向する２辺にそれぞれ連続する台形の側板からなる傾斜面１０，１０とで構成されている。そして、一対の対向する上記傾斜面１０，１０は、上記天板２から外側に傾斜しており、その傾斜面１０，１０には第１実施形態と同様の反射体１１，１１が設けられている。
【００３２】
この反射体１１，１１の傾斜角度は、既設の道路鋲Ｂにおける反射体７，７の傾斜角度とほぼ同じ角度に設けられている。そして、このカバー本体８は、既設の道路鋲Ｂの天井と対向する一対の反射体７，７を覆うことができる。
この第２実施形態において、その他の構成、作用効果は、第１実施形態と同じである。
【産業上の利用可能性】
【００３３】
この発明は、道路鋲の補修に最適である。
【符号の説明】
【００３４】
Ｂ…道路鋲  、  １，８…カバー本体  、  ２，９…天板  、  ３，１０…傾斜面  、  ４，１１…反射体  、  ５…接着剤
【図１】
2018071072.tif 000003
【図２】
2018071072.tif 000004
【図３】
2018071072.tif 000005